(57)【要約】【課題】光ファイバの接続時等に生じるクラッドモードを容易に低減できるフェルールを提供する。【解決手段】  貫通孔２内に光ファイバが配置される筒状体１を含んでなるフェルールであって、筒状体１は、少なくとも貫通孔２側の内部に光吸収部１ａを有することを特徴とする。【選択図】図１
2008299029.tif 000002
【特許請求の範囲】
【請求項１】
貫通孔内に光ファイバが配置される筒状体を含んでなるフェルールであって、前記筒状体は、少なくとも前記貫通孔側の内部に光吸収部を有することを特徴とするフェルール。
【請求項２】
前記光吸収部は、前記筒状体の一端から他端に亘って設けられていることを特徴とする請求項１に記載のフェルール。
【請求項３】
前記筒状体全体が光吸収部で構成されていることを特徴とする請求項１または２に記載のフェルール。
【請求項４】
前記光吸収部は、Ｃｏ、Ｖ、Ｎｉ、Ｃｕ、Ｃｒ、Ｍｎ、またはＰｔのうち、少なくとも一種を含んでいることを特徴とする請求項１〜３のいずれかに記載のフェルール。
【請求項５】
前記光吸収部は、Ｅｒ、Ｐｒ、Ｓｍ、Ｔｍ、またはＹｂのうち、少なくとも一種を含んでいることを特徴とする請求項１〜４のいずれかに記載のフェルール。
【請求項６】
前記筒状体は、ガラスで構成されていることを特徴とする請求項１〜５のいずれかに記載のフェルール。
【請求項７】
貫通孔内に光ファイバが配置される筒状体を含んでなるフェルールの製造方法であって、
前記筒状体の前駆体である筒状の基体の内周側に光吸収材料を注入する工程と、前記基体を軸方向に引き伸ばす工程と、前記基体を切断して前記筒状体を得る工程と、を備えたフェルールの製造方法。
【請求項８】
前記貫通孔を横切る溝部を有する請求項１〜６のいずれかに記載のフェルールと、前記溝部に配置された光アイソレータと、前記貫通孔内に配置された光ファイバと、を備えた光デバイス。
【請求項９】
請求項１〜６のいずれかに記載のフェルールと、該フェルールの貫通孔内に接着剤を介して配置された光ファイバと、を備えたファイバスタブ。
【請求項１０】
前記接着剤の屈折率は、前記光ファイバのクラッドの屈折率よりも大きいことを特徴とする請求項９に記載のファイバスタブ。
【請求項１１】
請求項９または請求項１０に記載のファイバスタブと、一端側が前記ファイバスタブの先端部に挿入されたスリーブと、前記ファイバスタブの後端部を保持したホルダと、を備えた光レセプタクル。
【発明の詳細な説明】
【技術分野】
【０００１】
本発明は光ファイバを伝播するクラッドモードを低減するフェルール、および該フェルールを用いてなる光デバイス、ファイバスタブ、光レセプタクルに関する。
【背景技術】
【０００２】
光ファイバを伝播する光の中にはクラッドモードと呼ばれるモードがある。クラッドモードは、光ファイバのコアを伝播するモードと異なり、クラッド全体に広がって進むものであり、殆どがクラッド外側（即ち光ファイバの外側）に向かって放射して減衰する。このクラッドモードは、通常のシングルモードファイバの場合、光ファイバが十分な長さを有していれば（たとえば１ｍ以上）除去されるとされている。
【０００３】
ところが、光ファイバを備えた光デバイスでは、必ずしもクラッドモードを除去するのに十分な長さの光ファイバから構成されていない光デバイス、即ち短い光ファイバが付随している光デバイス、非常に小型の光デバイスが多数ある。これらの光デバイスでは、発生したクラッドモードを十分に除去できない場合が考えられる。クラッドモードの光は減衰しながら進むため強度が一定ではなく、また光ファイバの中心軸に対する分布も対称ではない。そのため、クラッドモードは、十分に減衰されないと信号の雑音として光デバイスの通信品質を劣化させる。
【０００４】
図７は、一対の光ファイバを接続する際に生じるクラッドモードの様子を説明するための模式図であり、シングルモードファイバ１０２からシングルモードファイバ１０１に光が伝搬する様子を示している。クラッドモード１０４は、一対のシングルモードファイバ１０１、１０２を接続する際に生じる。また、図７では、シングルモードファイバ１０２のコア１０２ａを伝搬する光をコア伝搬モード１０３とし、コア伝搬モード１０３の強度分布を模式的に示している。クラッドモード１０４は、図７に示すようにシングルモードファイバ１０１、１０２のコア１０１ａ、１０２ａ同士が軸ずれした場合に生じる。具体的に、コア同士に軸ずれが生じていると、コア１０２ａを伝搬するコア伝搬モード１０３がコア１０１ａに入射されず、シングルモードファイバ１０１のクラッド１０１ｂに入射され、これがクラッドモード１０４となる。そして、クラッドモード１０４は、図３に示すように、クラッド１０１ｂに広がって進行する。すなわち、クラッドモードとは、光ファイバのコアに結合すべき光が、光学系の不具合（たとえば、コア同士の軸ずれ、屈折率差で生じる光の光路変化、光学素子を通過した光の光路変化）によってクラッド内に入りこむことによって生じる。
【０００５】
特許文献１では、このようなクラッドモードを除去し、光信号の伝送特性の劣化を防ぐ提案がなされている。特許文献１によれば、光ファイバのクラッドの端面またはフェルールの端面に光吸収膜もしくは光反射膜を設ける形態、ならびにフェルールの内周面に光吸収膜を設ける形態が開示されている。そして、特許文献１では、このような光吸収膜や光反射膜により、光ファイバのクラッドへの光の進入を防いでいる。
【特許文献１】特開２００６―２９３２３４号公報
【発明の開示】
【発明が解決しようとする課題】
【０００６】
しかしながら、特許文献１に開示されているように、光ファイバのクラッドにのみ光反射膜や光吸収膜を設けるのは困難であった。すなわち、通常のシングルモードファイバでは、光ファイバ自体の径も小さいが、そのコアの径はさらに小さいことから、コアを除いてクラッドのみに光反射膜や光吸収膜を形成するのが困難である。そのため、特許文献１の構成では、たとえばコアにも光吸収膜の一部が形成されることにより、伝送すべきコア伝搬モードの光が吸収される可能性があった。一方、光反射膜が形成された形態では、コアに光反射膜が形成されると、該光反射膜によって反射された光が迷光となり、光ファイバに光を伝送する光源、たとえばＬＤ（レーザダイオード）に悪影響を与える可能性が高まる。また、フェルールの内周面に光吸収膜を設ける形態では、通常使用されるシングルモードファイバの外径が１２５μｍであり、フェルールの内径が直径１２５．５〜１２６．５μｍとサブミクロンの精度で形成されることから、このような微細なフェルールの内周面にクラッドモードを減衰させるために必要な厚みを有する光吸収膜を形成することが困難であるとともに、サブミクロンの精度で形成されている内径に膜を形成すること自体が製造工程上困難であった。
【課題を解決するための手段】
【０００７】
前述の説明のような問題点を解決するため、本発明では、貫通孔内に光ファイバが配置される筒状体を含んでなるフェルールであって、前記筒状体は、少なくとも前記貫通孔側の内部に光吸収部を有することを特徴とする。
【０００８】
また、本発明において、前記光吸収部は、前記筒状体の一端から他端に亘って設けられていることが好ましい。
【０００９】
さらに、本発明においては、前記筒状体全体が光吸収部で構成されていることが好ましい。
【００１０】
また、本発明において、前記光吸収部は、Ｃｏ、Ｖ、Ｎｉ、Ｃｕ、Ｃｒ、Ｍｎ、またはＰｔのうち、少なくとも一種を含んでいることが好ましい。さらに、前記光吸収部は、Ｅｒ、Ｐｒ、Ｓｍ、Ｔｍ、またはＹｂのうち、少なくとも一種を含んでいることが好ましい。
【００１１】
さらに、本発明において、前記筒状体はガラスで構成されているが好ましい。
【００１２】
本発明のフェルールの製造方法では、本発明のフェルールを構成する筒状体の前駆体である筒状の基体の内周側に光吸収材料を注入する工程と、前記基体を両端から軸方向に引き伸ばす工程と、前記基体を切断して前記筒状体を得る工程と、を備えてなることを特徴とする。
【００１３】
また、本発明の光デバイスは、前記貫通孔を横切る溝部を有する本発明のフェルールと、前記溝部に配置された光アイソレータと、前記貫通孔内に配置された光ファイバと、を備えてなることを特徴とする。
【００１４】
また、本発明のファイバスタブは、本発明のフェルールと、該フェルールの貫通孔内に接着剤を介して配置された光ファイバと、を備えたことを特徴とする。
【００１５】
さらに、本発明のファイバスタブにおいて、前記接着剤の屈折率は、前記光ファイバのクラッドの屈折率よりも大きいほうが好ましい。
【００１６】
本発明の光レセプタクルは、前記ファイバスタブと、一端側が前記ファイバスタブの先端部に挿入されたスリーブと、前記ファイバスタブの後端部を保持したホルダと、を備えたことを特徴とする。
【発明の効果】
【００１７】
本発明のフェルールによれば、フェルールの一部を構成する筒状体の貫通孔側の内部に光吸収部を設けているため、前記貫通孔内に配置された光ファイバのクラッドから外部に漏れるクラッドモードの光を減衰させることができる。その結果、本発明のフェルールでは、光ファイバのコアを伝搬する光を減衰させることなく、クラッドモードの光を減衰させることができるため、通信における信頼性を向上させることができる。
【００１８】
また、本発明のフェルールの製造方法によれば、フェルールよりも大きい径（内径および外径）を有する筒状の基体（母材）の内周側に光吸収材料を注入した後、該基体を引き伸ばして所望の筒状体の大きさになるように切断するため、簡便な工程にて筒状体の内周側に光吸収部を設けることができる。
【発明を実施するための最良の形態】
【００１９】
以下に、本発明の実施形態にかかるフェルールについて、図面を参照しつつ説明する。なお、図面においては、同一の要素で構成されているものについて、同一の符号を付して、説明を省略する。
【００２０】
図１は、本発明の実施形態にかかるフェルールＸを示す模式図であり、図１（ａ）は、フェルールの一方側に光ファイバの案内孔となるコーン部が形成されたものであり、図１（ｂ）はフェルールの両端に面取りが形成されたものである。
【００２１】
フェルールＸは、貫通孔２を有する筒状体１で構成されており、貫通孔２内に挿入される光ファイバを保持する機能を有する。なお、本実施形態では、フェルールＸが筒状体１のみで構成されているが、このような形態に限られることなく、たとえば筒状体１の外周部に筒状体１を保持するホルダ等を備えていてもよい。フェルールＸは、たとえば硼珪酸ガラス、ソーダガラス、フリントガラス、クラウンガラスのようなガラス材料で構成され、イオン交換という観点では比較的、修飾イオンの多い硼珪酸ガラスやソーダガラスが好適である。
【００２２】
図１（ａ）に示したフェルールＸでは、一方側に貫通孔２と連通し、かつ一方端面側に向かって径が大きくなるテーパー形状のコーン部３が設けられている。このコーン部３は、貫通孔２への光ファイバの挿入口となるものであり、光ファイバの案内孔として機能し、光ファイバの挿入を容易にするという観点から好適である。また、他方端面の角部には、面取り４が形成されている。この面取り４は、フェルールＸの角部における欠けの発生を抑制するとともに、たとえば光ファイバを貫通孔内に備えてなる一対のフェルールＸの面取りが形成された端面同士をスリーブ内で当接させて光学的に結合させる場合、フェルールをスリーブ内に容易に挿入できるという観点から好適である。
【００２３】
そして、本発明のフェルールＸは、筒状体１の貫通孔２側の内部、すなわち筒状体１の内周部近傍に光吸収部１ａが設けられている。この光吸収部１ａは、光吸収元素（光吸収イオン）が筒状体１の内部に分散されることによって構成されている。光吸収部１ａは、貫通孔２に挿入された光ファイバ（図示なし）のクラッド内を伝搬する光（クラッドモード）がクラッドの外側に漏れ、フェルールＸの内周面に到達すると吸収する機能を有している。すなわち、フェルールＸは、光ファイバ内を伝搬する光のうち、通信用の信号となる光ファイバのコアに入射される光を光吸収部１ａで吸収することなく、光ファイバのクラッドに入射されて伝搬するクラッドモードの光を減衰させることができるため、光ファイバのコアを伝搬する光を減衰させることなく、クラッドモードによる影響を低減することができる。また、光吸収部１ａは、筒状体１と一体的に形成されているため、筒状体１の内周面に光吸収膜を施すような形態に比べて、貫通孔２の設計に関する制約を受けにくい。すなわち、光吸収膜を設ける場合は、フェルールの貫通孔の径と光ファイバの径との差を考慮し、極めて微細な調整が必要となるが、光吸収部１ａは、上述したように、筒状体１と一体的に形成されているため、フェルールＸを容易に設計することができるとともに、クラッドモードを十分に減衰させるために必要な光吸収部の体積を確保することができる。
【００２４】
また、光吸収部１ａは、フェルールＸの貫通孔２側の一部に設けられていれば、クラッドモードを減衰させる効果をもたらすものであるが、図１（ａ）、（ｂ）に示すように、貫通孔２の軸方向に沿って、筒状体１の一端から他端に亘って設けるほうが好ましい。このような形態であれば、クラッドモードをフェルールＸの軸方向に亘ってクラッドモードを減衰させることができるため、クラッドモードの減衰効果を向上させることができる。
【００２５】
さらに、本実施形態においては、図２に示すように、筒状体１全体を光吸収部で構成してもよい。このような構成によれば、クラッドモードをより効率良く減衰させることができるとともに、外部から入射されるような光であっても同様に減衰させることができるため、通信の信頼性をより向上させることができる。
【００２６】
この光吸収部１ａは、種々の元素から構成されるものであるが、たとえばＣｏ、Ｖ、Ｎｉ、Ｃｕ、Ｃｒ、Ｍｎ、またはＰｔのような遷移金属元素を少なくとも一種含んで構成されることが好ましい。このような遷移金属元素は、特に光ファイバ内を伝搬させる一般的な光の波長（１．３μｍ、１．５５μｍ）において、光を効率良く減衰させる元素である。さらに、光吸収部１ａは、Ｅｒ、Ｐｒ、Ｓｍ、Ｔｍ、またはＹｂのような希土類元素を少なくとも一種を含んでいることが好ましい。このような希土類元素は、遷移金属元素と同様に波長１．３μｍ、１．５５μｍ近傍の光を吸収する。
【００２７】
また、この光吸収部１ａは、例えばフェルール端面をＥＰＭＡ（Electron Probe Micro Analyzer）で走査することで遷移金属元素、あるいは希土類元素の存在を確認できるとともに、ＳＩＭＳ（Secondary Ion-microprobe Mass Spectrometer）でも測定可能である。光吸収部１ａを構成する材質をより正確に定量分析する場合は、フェルールを粉砕調整する破壊検査になるがプラズマ発光分析等で可能である。
【００２８】
次に、本発明のフェルールの製造方法の実施形態について、図３を参照しつつ説明する。図３は、本発明の実施形態にかかるフェルールの製造方法の工程を説明するための模式図である。
【００２９】
＜光吸収材料の注入工程＞  
まず、図３（ａ）に示すように、図１に示した筒状体１の前駆体となる筒状の基体（母材）１０を準備する。基体１０は、直径が１．２５ｍｍ程度、内径が０．１２６ｍｍ程度の筒状体を作製するのであれば、直径が４０ｍｍ、貫通孔１１の内径４．０３２ｍｍの硼珪酸ガラスからなる母材１０を準備する。
【００３０】
次に、図３（ｂ）のように、ステンレスで形成されたケーシング２０内に基体１０を載置する。次に、基体１０の貫通孔１１の内部に、光吸収材料として機能するＣｏの塩（Ｃｏ塩）例えばＣｏＣｌ２を水に溶解した溶融塩２１を満たし、数時間（２０時間以上）、加熱（５０℃から７０℃前後）する。これにより、基体１０の貫通孔側の内部、すなわち基体１０の内周面を含む内部にＣｏイオンが拡散して注入されるとともに、硼珪酸ガラス内のＮａイオンやＫイオンが溶融塩２１に取り込まれることによりイオン交換が起こる。なお、ガラス材料は、容易にイオン交換が可能であり、基体１０として好適である。また、ガラス材料では、比較的、イオン交換が起こりやすい陽イオンを多く含んでいる硼珪酸ガラスがより好適である。
【００３１】
＜基体の延伸工程＞  
その後、図３（ｃ）に示すように、基体１０を構成するガラスの軟化点温度（硼珪酸ガラスであれば約７２０℃）になるようヒータ２２で加熱し、所望の外径である直径１．２５ｍｍになるまで基体１０を引き伸ばす。このとき、引き伸ばされた状態の基体１０’の内径は、引き伸ばす前の基体１０と相似となり直径０．１２６ｍｍとなる。なお、引き伸ばし速度は基体１０’の外径からフィードバックされており、常に一定の引き絞り径である直径１．２５ｍｍとなるよう制御される。
【００３２】
＜基体の切断工程＞
最後に、図３（ｄ）に示すように、引き伸ばされた基体１０’を全長が約６．４ｍｍになるように例えばダイシングマシンで切断して筒状体１（フェルール）とした。その後、必要に応じて、図１（ａ）、（ｂ）に示すように、面取り部やコーン部を設けるような研削加工を施してもよい。
【００３３】
このような本発明のフェルールの製造方法によれば、フェルール（筒状体）よりも大きい径（内径および外径）を有する筒状の基体の内周側に光吸収材料を注入した後、該基体を引き伸ばして所望の筒状体の大きさになるように切断するため、簡便な工程にて筒状体の内周側の内部に光吸収部を設けることができる。なお、本実施形態では、光吸収材料としてＣｏ塩を用いたが、Ｃｏに限られることなく、遷移金属であるＶ、Ｎｉ、Ｃｕ、Ｃｒ、Ｍｎ、またはＰｔのうち、少なくとも一種の塩であっても良く、さらに希土類のＥｒ、Ｐｒ、Ｓｍ、Ｔｍ、またはＹｂの少なくても一種類の塩を溶融させて使用してもよい。
【００３４】
また、図２に示したような筒状体１全体が光吸収部１ａで形成されているような形態は、たとえば硼珪酸ガラス材料の溶融時にＣｏＯ（酸化コバルト）を添加し、Ｃｏ２＋が分散された硼珪酸ガラス材料として基体１０を作製し、上記と同様の延伸工程および切断工程を経てフェルールを作製すればよい。このような形態においても、上述したようなＣｏ以外の遷移元素または希土類元素を用いてもよい。
【００３５】
次に、本発明のフェルールを用いてなる光デバイスの実施形態について図４を参照しつつ説明する。図４は、本発明の一実施形態にかかる光デバイス３０を示す断面図である。光デバイス３０は、溝部５が形成されたフェルールＸと、シングルモードファイバ３１Ａ、３１Ｂ、グレイデッドインデックスファイバ３２Ａ、３２Ｂ、コアレスファイバ３３から構成される光ファイバ体３４と、第１の複屈折結晶３５、ファラデー回転子３６、第２の複屈折結晶３７、第３の複屈折結晶３８からなる光アイソレータ素子３９と、スリーブ４０と、を備えてなる。
【００３６】
光ファイバ体３４は、モードフィールド径１０μｍのシングルモードファイバ３１Ａ、コア径１２０μｍ、屈折率差０．７％の中心軸から外周に向かって徐々に屈折率が減少するグレイデッドインデックスファイバ３２Ａを０．９５ｍｍ、純石英でコアを持たないコアレスファイバ３３を２．５ｍｍ、グレイデッドインデックスファイバ３２Ａと同様のパラメータを持つグレイデッドインデックスファイバ３２Ｂを０．９５ｍｍ、シングルモードファイバ３１Ｂをこの順番に融着接続して構成されている。
【００３７】
この光ファイバ体３４は、外径１．２５ｍｍ、長さ６ｍｍのフェルールＸの貫通孔２に接着固定される。また、フェルールＸは、その両端面が研磨されている。なお接着には熱硬化型エポキシ系樹脂からなる接着剤（図示せず）を用いた。前記接着剤は屈折率１．５であり、シングルモードファイバ３１Ａ、３１Ｂ、グレイデッドインデックスファイバ３２Ａ、３２Ｂ、コアレスファイバ３３のそれぞれの屈折率１．４４４（波長１５５０ｎｍ）よりも大きい。そのため、クラッドモードは光ファイバ体３４の外周部に向かって誘導され、より効果的にフェルールＸの光吸収部１ａに吸収される。
【００３８】
次に、光ファイバ体３４のコアレスファイバ３３の部分をダイシングにより分断し深さ約０．７８ｍｍの溝部５をフェルールＸに形成する。次に、第１の複屈折結晶３５、ファラデー回転子３６、第２の複屈折結晶３７、第３の複屈折結晶３８からなる厚さ１．７ｍｍの偏波無依存型の光アイソレータ素子３９を０．３ｍｍ×０．４ｍｍに切削加工し、溝部５内にＵＶ熱併用型のアクリル系接着剤にて接着し、隙間にエポキシ系の低ＴＧ（ＴＧ＜−５０度）のＵＶ硬化型接着剤を充填した（図示なし）。最後に、外径２．３ｍｍ、内径１．２５ｍｍ、長さ１０ｍｍのジルコニアスリーブ４０を保護部材としてフェルールＸの外周部に嵌め込むことによって光デバイス３０が完成する。
【００３９】
このような光デバイス３０の光学的特性は、両端面の他のフェルールとの接続損失を含め０．８〜１．５ｄＢ、アイソレーションは３７〜４２ｄＢとなった。このように、光デバイス３０では、光ファイバの長さが短いにも拘わらずクラッドモードを効率よく減衰することができ、光信号の劣化を低減することができる。また、偏波無依存光アイソレータでは、アイソレーション時に生じるビームシフトによって光ファイバのクラッドに光が入射されてクラッドモードが発生しやすいが、本発明の構成であれば、このようなクラッドモードを効率よく低減することができるため、偏波無依存型の光デバイスを設けた形態において、より効果的である。
【００４０】
次に、本発明のフェルールを用いてなるファイバスタブの実施形態について図５を参照しつつ説明する。図５は、本発明の一実施形態にかかるファイバスタブ５０を示す模式図である。
【００４１】
ファイバスタブ５０は、フェルールＸの貫通孔２内に接着剤５１を介して光ファイバ５２が固定されてなる。光ファイバ５２は、特に限定されるものでなく、シングルモードファイバ、マルチモードファイバ等、用途に応じて使い分けることが可能である。接着剤５１は、たとえばエポキシ系熱硬化型樹脂（例えばエポキシテクノロジー社のエポテック３５３ＮＤ等）を用いることができ、その屈折率は１．５６であるため、シングルモードファイバ１６の屈折率１．４４４（波長１５５０ｎｍ）より高く、クラッドモードをクラッドの外周に向かって誘導するため、クラッドモードを効率よく減衰させることができる。
【００４２】
次に、本発明のファイバスタブを用いてなる光レセプタクルの実施形態について図６を参照しつつ説明する。図６は、本発明の一実施形態にかかる光レセプタクル６０を示す断面図である。
【００４３】
光レセプタクル６０は、ファイバスタブ５０と、ホルダ６１と、スリーブ６２と、スリーブケース６３と、を備えている。筒状のホルダ６１は、ファイバスタブ５０の一端を保持するための部材であり、ファイバスタブ５０の一端部がホルダ６１の内孔内に圧入されている。なお、ホルダ６１の材質はステンレス、銅、鉄、ニッケルなどの溶接可能なものが挙げられ、中でも耐腐食性や溶接性の観点からステンレスが好適である。スリーブ６２は、ファイバスタブ５０と挿入されるプラグとを光学的に結合させるための調芯機能を有する筒状の部材であり、ファイバスタブ５０の他端部が圧入されている。スリーブケース６３は、スリーブ６２を保護する部材であり、ホルダ６１とＹＡＧ溶接等で固定されている。なお、スリーブケース６３もホルダ６１と同様に溶接可能な材質が良くステンレス（例えばＳＵＳ３０４等）が好適である。
【００４４】
光レセプタクル６０は、半導体レーザ（図示せず）からの光をレンズ（図示せず）を用いて集光し、ファイバスタブ５０の斜め研磨面５０ａ側の光ファイバ５２へと光を導く。このとき、レンズによる収差、アライメント調整ズレにより、光ファイバ５２のコアへ導波されなかった光はクラッドモードになってしまう。しかし、光レセプタクル６０では、ファイバスタブ５０を用いているため、クラッドモードを十分に減衰することができる。
【図面の簡単な説明】
【００４５】
【図１】（ａ）、（ｂ）は本発明のフェルールの一実施形態を説明する模式図である。
【図２】本発明のフェルールの他の実施形態を説明する模式図である。
【図３】本発明のフェルールの製造方法を説明するための模式図である。
【図４】本発明の光デバイスの一実施形態を示す断面図である。
【図５】本発明のファイバスタブの一実施形態を示す模式図である。
【図６】本発明の光レセプタクルの一実施形態を示す断面図である。
【図７】クラッドモードの発生を説明するための説明図である。
【符号の説明】
【００４６】
Ｘ、Ｘ’：フェルール
３０：光デバイス
５０：ファイバスタブ
５０ａ：斜め研磨面
６０：光レセプタクル
１：筒状体
１ａ：光吸収部
２：貫通孔
３：コーン部
４：面取り部
５：溝部
１０、１０’：基体（母材）
１１：貫通孔
２０：ケーシング
２１：溶融塩
２２：ヒータ
３１：シングルモードファイバ
３２：グレイデッドインデックスファイバ
３３：コアレスファイバ
３４：光ファイバ体
３５：第１の複屈折結晶
３６：ファラデー回転子
３７：第２の複屈折結晶
３８：第３の複屈折結晶
３９：光アイソレータ素子
４０：スリーブ
５１：接着剤
５２：光ファイバ
６１：ホルダ
６２：スリーブ
６３：スリーブケース
【図１】
2008299029.tif 000003
【図２】
2008299029.tif 000004
【図３】
2008299029.tif 000005
【図４】
2008299029.tif 000006
【図５】
2008299029.tif 000007
【図６】
2008299029.tif 000008
【図７】
2008299029.tif 000009